(57)【要約】  ペイントガンで使用するための液体緩衝器アセンブリが、第１及び第２の端部と、作動液を収容するチャンバを含んだ内部と、を有する。ピストンアセンブリが少なくとも１つのピストンロッドを含み、ピストンヘッドがハウジングの内部を通じて軸方向に移動可能であり、ピストンヘッドは、ピストンアセンブリが荷重下で移動されるときに作動液が流動する少なくとも１つのオリフィスを含む。緩衝器アセンブリは、自動ペイントガンの発射率を低減又は低速化させるように構成される。
2019515236.tif 000002
【特許請求の範囲】
【請求項１】
ペイントガンで使用するための液体緩衝器アセンブリであって、
前記ペイントガン内に配設されるように構成されたアセンブリハウジングであって、対向する第１及び第２の端部と、一定量の作動液を収容するチャンバを含んだ内部と、を有するアセンブリハウジングと、
少なくとも１つのピストンロッドと、前記アセンブリハウジングの前記内部を通じて軸方向に移動可能なピストンヘッドとを含んだピストンアセンブリであって、前記ピストンヘッドは、寸法決めされるか、又は、前記ピストンアセンブリが荷重下にあるときに作動液が前記ピストンヘッドを通じて、周りに移動するように構成された少なくとも１つのオリフィスを含み、前記ピストンアセンブリは、発射率を低下させるために、発射及びリセットサイクルの間、設定時間内に、前記ペイントガン内で設定距離だけストロークするように構成されているピストンアセンブリと、を備える液体緩衝器アセンブリ。
【請求項２】
前記ピストンアセンブリは、互いに軸方向に固定された第１のピストンロッドと第２のピストンロッドとを含む、請求項１に記載の液体緩衝器アセンブリ。
【請求項３】
前記ピストンヘッドと前記アセンブリハウジングの内壁の間に各々が配設されたグライドリング及びシールリテーナを含む、請求項１に記載の液体緩衝器アセンブリ。
【請求項４】
前記グライドリング及びシールリテーナは、互いに整列された貫通開口部を含み、前記ピストンヘッドの前記オリフィスは、前記ピストンアセンブリが荷重下で前記アセンブリハウジングの前記内部を通じて移動するときに、作動液の通過を可能にする、請求項３に記載の液体緩衝器アセンブリ。
【請求項５】
前記第１のピストンロッドは、前記第２のピストンロッドの開口部内で固定される狭小端部分を含む、請求項４に記載の液体緩衝器アセンブリ。
【請求項６】
前記第２のピストンロッドは前記シールリテーナに固定され、前記シールリテーナは、前記ピストンアセンブリと共に移動するように構成されている、請求項５に記載の液体緩衝器アセンブリ。
【請求項７】
前記グライドリングは、前記ピストンヘッドと前記シールリテーナの間に配設され、また前記ピストンアセンブリの移動に基づいて移動してチェック弁として働くように配設されている、請求項６に記載の液体緩衝器アセンブリ。
【請求項８】
少なくとも１つのシール要素を含む、請求項１に記載の液体緩衝器アセンブリ。
【請求項９】
空隙領域内で前記アセンブリハウジングの前記内部に固定的に取り付けられた１対のクアッドリングを含み、前記空隙領域の各々は、前記クアッドリングよりも小さく、したがって前記クアッドリングを圧縮する、請求項８に記載の液体緩衝器アセンブリ。
【請求項１０】
前記ピストンヘッドの前記オリフィスは少なくとも１つのチェック弁を含む、請求項１に記載の液体緩衝器アセンブリ。
【請求項１１】
前記シールリテーナは、前記アセンブリハウジングの内径よりも小さい外径を有し、したがって作動液を移動させるための環状空間を生じさせる、請求項７に記載の液体緩衝器アセンブリ。
【請求項１２】
前記ピストンヘッドは、前記アセンブリハウジングの内径よりも小さい外径を有し、したがって作動液を移動させるための環状空間を生じさせる、請求項１に記載の液体緩衝器アセンブリ。
【請求項１３】
前記グライドリングは、前記アセンブリハウジングの内径とほぼ一致する外径によって画定される、請求項７に記載の液体緩衝器アセンブリ。
【請求項１４】
自動ペイントボールガンの発射率を低下させるための方法であって、
前記ペイントボールガン内に固定されたアセンブリハウジングを含む緩衝器アセンブリを設けることであって、前記アセンブリハウジングは、対向する第１及び第２の端部と、作動液を収容するチャンバを含んだ内部と、を有することと、
少なくとも１つのピストンロッドと、前記アセンブリハウジングの前記内部を通じて軸方向に移動可能であるピストンヘッドとを含んだピストンアセンブリを設けることであって、前記ピストンヘッドは少なくとも１つのオリフィスを含むことと、
前記ペイントボールガンを発射させることに起因し得る荷重を第１のピストンロッドに加えることであって、前記ピストンヘッドを通じて又は前記ピストンヘッドの周りに作動液を移動させ、それによって、前記ペイントボールガンの前記発射率を低化させる減衰力を与えることと、を含む方法。
【請求項１５】
元の位置にリセットするために前記ピストンアセンブリに復元力が加えられる、請求項１４に記載の方法。
【請求項１６】
ペイントガンのための液体緩衝器アセンブリであって、
対向する第１及び第２の端部と、一定量の作動液を収容するチャンバを含んだ内部と、を有するアセンブリハウジングと、
直列的に配設された第１のピストンロッド及び第２のピストンロッドと、前記アセンブリハウジングの前記内部を通じて軸方向に移動するように構成されたピストンヘッドとを含んだピストンアセンブリであって、前記ピストンヘッドは、寸法決めされるか、又は、前記ピストンアセンブリが荷重下にあるときに作動液が前記ピストンヘッドを通じて若しくはその周りに移動するように構成された少なくとも１つのオリフィスを含むピストンアセンブリと、を含む液体緩衝器アセンブリ。
【請求項１７】
少なくとも１つのシーリング部材が、作動液の前記移動のためのチェック弁として働く、請求項１６に記載の液体緩衝器アセンブリ。
【発明の詳細な説明】
【関連出願の相互参照】
【０００１】
本願は、３５  Ｕ．Ｓ．Ｃ．１１９及び３７  ＣＦＲ  １．５３の関連部分に基づいて、２０１７年５月１日出願の米国特許出願第１５／５８３，１５０号、名称「Ｈｙｄｒａｕｌｉｃ  Ｂｕｆｆｅｒ  Ａｓｓｅｍｂｌｙ」、及び２０１６年５月２日出願の米国特許出願第６２／３３０，４５５号、名称「Ｈｙｄｒａｕｌｉｃ  Ｂｕｆｆｅｒ  Ａｓｓｅｍｂｌｙ」に対する優先権を主張するものである。これらの文書の各々は、すべての内容が参照によって組み込まれる。
【技術分野】
【０００２】
本願は、広義には緩衝器アセンブリの分野に関するものであり、より具体的には、好ましくは自動又は半自動のペイントボールガン又はマーカーにおいて用いられるように構成された液体緩衝器アセンブリに関するものである。本液体緩衝器アセンブリは、ペイントボールガンの発射率を効果的に制御するために、時間遅延又はタイムラグを発生させる。
【背景技術】
【０００３】
ペイントボールガン又はマーカーは、レクリエーション目的並びに警察及び軍隊の訓練に広く用いられている。通常、ペイントボールガンは、典型的には、約９０ｍ／秒（約３００フィート／秒）の初速で、圧縮空気又は二酸化炭素などの膨張する気体を用いて、発射体を強制的に発射する。目的の対象物と衝突すると、発射体（ペイントボール）は、格納された一定量の明るく着色された塗料を放出する。更なる高速度も達成され得るが、安全上の問題から制限されている。時を経て、これらのデバイスは相当に精巧かつ複雑となり、半自動及び自動の変形形態が開発されているが、そこでは発射又はバースト率にも著しい向上が見られる。例えば、一部のペイントガンは、最大で１秒当たり３０発の発射が可能である。
【０００４】
米国の様々な州並びに諸外国における特定の規制により、自動ペイントボールガン又はマーカーの発射率は、安全のために特定の最大率以内に制御されなければならない。したがって、本分野では、公表されている規格以内に自動ペイントガンの発射率を低減化するために、新規な又は既存のペイントガン又はマーカーに組み込まれ得る緩衝器アセンブリを提供することが求められている。複雑な回路を有する電子式の変形形態も現在まで開発されてきたが、本出願人らは、ペイントボールガンに組み込む又は含めるように構成された液体緩衝器を認識していない。
【発明の概要】
【０００５】
第１の態様によれば、復帰力の受容を最大限にする一方で、入力された荷重又は力を受容すると時間遅延を発生させるための緩衝器アセンブリが提供される。本装置は、第１の端部と第２の端部とを有するハウジングを含み、ピストンアセンブリがハウジングの内部で延出する。ピストンアセンブリは、加えられた荷重を受容するとピストンのストロークに基づいて収容された作動液を移動させるオリフィス付きピストンヘッドを含み、作動液の移動が、入力された荷重又は力に対する時間遅延を発生させる。ピストンアセンブリはまた、ピストンアセンブリを反対方向に迅速に復帰させるためのチェック弁を含み、そのため、緩衝器アセンブリは次の発射サイクルに対する時間遅延を設けることが可能となる。少なくとも１つの変形形態では、上記のアセンブリは、ペイントボールガン内で、より具体的に言えば、発射率を制御する目的で自動ペイントボールガン内で使用され得る。
【０００６】
少なくとも１つの変形形態によれば、ピストンアセンブリは、互いに軸方向に固定された第１のピストンロッドと第２のピストンロッド、並びに、ピストンヘッドとハウジングの内壁との間にそれぞれ配設されたグライドリング及びシールリテーナを含む。
【０００７】
少なくとも１つの実施形態では、グライドリング及びシールリテーナは、互いに整列された貫通開口部を含み、ピストンヘッドのオリフィスは、ピストンアセンブリが荷重下でアセンブリハウジングの内部を通じて移動するときに、作動液の通過を可能にする。
【０００８】
第１のピストンロッドは、第２のピストンロッドの開口部内で固定される狭小端部分を含んでもよく、第２のピストンロッドはシールリテーナに固定され、シールリテーナは、ピストンアセンブリと共に移動するように構成される。
【０００９】
グライドリングは、好ましくはピストンヘッドとシールリテーナとの間に配設され、ピストンアセンブリの移動に基づいて移動するように配設される。１つの変形形態によれば、緩衝器アセンブリは、空隙領域内でハウジングの内部に固定的に取り付けられた１対のクアッドリングを含み、空隙領域の各々は、クアッドリングよりも小さく、したがってクアッドリングを圧縮する。
【００１０】
少なくとも１つの変形形態では、ピストンヘッドのオリフィスは少なくとも１つのチェック弁を含み、シールリテーナは、ハウジングの内径よりも小さい外径を有し、したがって作動液を移動させるための環状空間を生じさせる。
【００１１】
ピストンヘッドは、ハウジングの内径よりも小さい外径を画定され得るが、それによって、少なくとも１つのチェック弁が開放されているとき、作動液を移動させるための環状空間がオリフィスに加えて形成される。
【００１２】
グライドリングは、ハウジングの内径に対するシールとして働くように、ハウジングの内径とほぼ一致する外径によって画定されてもよく、グライドリングは、緩衝の目的で作動液を通過させるための開口部を含む。
【００１３】
別の態様によれば、自動ペイントガンの発射率を低減化させるための方法が提供され、その方法は、
第１及び第２の端部と、作動液を収容するチャンバを含んだ内部とを有する、ペイントガン内で固定されるハウジングを設けることと、
１対のピストンロッドと、ハウジングの内部を通じて軸方向に移動可能であるピストンヘッドとを含んだピストンアセンブリを設けることであって、ピストンヘッドは少なくとも１つのオリフィスを含み、
ペイントボールガンを発射することに起因し得る荷重を第１のピストンロッドに加えることであって、ガンの発射及び復帰サイクルの間に一方向にストロークするとき、緩衝器の速度を制御することによって、ピストンヘッドのオリフィスを通じて作動液を移動させ、アセンブリを減衰させることで時間遅延を生じさせ、それによって発射率を低減化させることと、を含む。
【００１４】
１つの変形形態では、ピストンアセンブリは、対向する端部において互いに取り付けられた１対のピストンロッドを含み、その１対のピストンロッドは、縦列で移動するように構成される。ピストンロッドの一方に取り付けられたピストンヘッドは、ピストンヘッドが前進されるときに作動液が移動する１組のオリフィスを含む。
【００１５】
本明細書で説明する設計によって実現される１つの利点は、ペイントボールガンなどの自動銃器の発射率が、従来より用いられている電子的手段とは対照的に、効果的にかつ機械的に制御され得ることであり、後者は、信頼性がより低く、より複雑でかつ高価であり、また電力を必要とする。
【００１６】
本明細書で説明する設計のもう１つの利点は、緩衝器アセンブリが十分に小型となり、ガンの非常に小さな領域内に適合することである。その結果、ガンの全体的なフットプリントが損なわれず、また影響を受けることもない。
【００１７】
これら及び他の、特徴及び利点は以下の「発明を実施するための形態」から容易に明らかとなるであろうが、添付の図面と共に読まれなければならない。
【００１８】
以下の説明及び図面と併せて考慮すると、本発明の様々な特徴及び利点がより明らかとなろう。図面において、各図に共通する同一の特徴を示すために、可能な場合には、同一の参照符号が用いられている。
【図面の簡単な説明】
【００１９】
【図１】一実施形態による液体緩衝器アセンブリの側面図である。
【図２】第１の又は拡張位置にある、図１の液体緩衝器アセンブリを断面にした側面図である。
【図３】第２の又は圧縮位置にある、図２の液体緩衝器アセンブリの側面図である。
【図４】ペイントガンに関連して概略的に示された緩衝器アセンブリを表している。
【図５】一実施形態による緩衝器アセンブリと共に使用されるように構成されたペイントガンの側面図である。
【発明を実施するための形態】
【００２０】
以下の議論では、特定の実施形態に従って作製される液体緩衝器アセンブリ又は装置について説明する。しかしながら、様々な修正及び変形が本明細書で説明する構想の範囲内でなされ得ることが理解されよう。加えて、「第１」、「第２」、「内側」、「外側」、「上方」、「下方」、「左」、「右」、「内部」、「外部」などの特定の用語が、添付の図面に対する適切な基準枠を設けるために、議論の過程を通じて使用されている。しかしながら、これらの用語もまた、別段の指示がない限り、本発明の範囲を狭めることを意図したものではないことに留意されたい。加えて、様々な図に示された同様の部品は、明確さ及び理解のために、同じ参照符号が付されている。
【００２１】
図１を参照すると、それぞれ第１及び第２の端部１０８、１１２と中心軸線１１０とを有する実質的に円筒状のアセンブリハウジング１０４によって画定された、液体緩衝器アセンブリ１００が示されている。クレビス又はそれに類した連結部材１１６が、ハウジング１０４の第１の端部１０８に対して取り付けられている。説明するこの実施形態によれば、クレビス１１６は中心穴又は開口部１２０を含んでいる。
【００２２】
図１及び２を参照すると、ハウジング１０４は内部１０５によって画定されており、クレビス１１６は、ピストンアセンブリに、より具体的には第１のピストンロッド１２４の延出端部に固定的に取り付けられている。止めねじ１２９がクレビス１１６及び第１のピストンロッド１２４のそれぞれの端部開口部内に嵌合されており、クレビス１１６の端部は、第１のピストンロッド１２４の端部と係合してその端部を確実に配置又は着座させる環状ショルダ１１７を含んでいる。
【００２３】
アセンブリハウジング１０４の内部１０５は実質的に中空であり、本明細書で説明する液体緩衝器アセンブリ１００の複数の構成要素を保持するように寸法決めされ構成されている。リテーナ１２８が、第１の端部１０８においてアセンブリハウジング１０４の内部１０５に配設されている。リテーナ１２８は中心開口部１３０を含んでおり、この中心開口部は、第１のピストンロッド１２４を受容するように寸法決めされ構成されており、またこの中心開口部の中にリテーナ１２８の外壁が押し込まれて、アセンブリハウジング１０４の内部又は内壁１０７と面一となる。アセンブリハウジング１０４の内壁１０７と密封式でかつ固定的に係合する前部軸受アセンブリ１３５がリテーナ１２８に隣接し、ハウジング内部１０５の中に収容されている。
【００２４】
この実施形態によれば、軸受アセンブリ１３５は、シーリングリング１３８を保持するように寸法決めされ構成された環状凹部１３７を含んでおり、後者は好ましくは性質においてエラストマーであり、凹部１３７内に配設され、またアセンブリハウジング１０４の内壁１０７とシール接触して配設されている。軸受アセンブリ１３５は、第１のピストンロッド１２４の通過を可能にするように寸法決めされ構成された中心開口部１３９を更に含み、また軸受アセンブリ１３５はそれ以外では、クアッドリング１４５を受容するリテーナ１２８に隣接する陥凹部分１４１を除いて、第１の端部１０８においてアセンブリハウジング１０４の内部空間を本質的に充填している。
【００２５】
図２及び３による断面図に示すように、陥凹部分１４１と、第１のピストンロッド１２４の外壁と、リテーナ１２８の内壁とが組み合わさって、クアッドリング１４５を完全に閉じ込める空隙領域が画定される。この実施形態によれば、締り嵌めを発生させ、圧縮を誘発するために、この後者の画定された空隙領域の寸法は、好ましくはクアッドリング１４５よりも小さい。
【００２６】
ピストンアセンブリは、第１のピストンロッド１２４のショルダに固定されるピストンヘッド１５０を更に含み、後者は第１のピストンロッド１２４に沿って軸方向に移動可能であり、このピストンロッドに固定的に取り付けられている。この実施形態によれば、ピストンヘッド１５０は、ハウジング１０４の内側表面１０７の直径よりも小さい外径を有する円筒状本体によって画定されており、それによって環状の間隙が形成されている。ピストンヘッド１５０は、隣接するグライドリング１６２内に形成された開口部１６４を更に通過する第１のピストンロッド１２４の縮径部分１５８を受容する中心開口部１５４を更に含んでいる。第１のピストンロッド１２４のショルダに当接して保持されるピストンヘッド１５０の拡張部分は、軸方向に配設された一組のオリフィス１５３を含んでいる。この実施形態によれば、オリフィス１５３は、第１のピストンロッド１２４を越えて半径方向に配設され、そのため、オリフィス１５３は拡張部分の全体を通じて延びる。第１のピストンロッド１２４の狭小部分は、拡張部分から軸方向に延びており、後者はより小さな外径を有している。
【００２７】
依然として図２及び３を参照し、この実施形態によれば、グライドリング１６２は、アセンブリハウジング１０４の内径におおよそ一致する外径を有し、第１のピストンロッド１２４の縮径部分１５８は、グライドリング１６２に隣接するシールリテーナ１７０の形成された中心開口部１７２を通じて更に延びている。シールリテーナ１７０は、第１のピストンロッド１２４のより小径の部分１５８を受容し、後者は、形成された中心開口部１７２を通過する。この実施形態に加えて、またこの実施形態によれば、シールリテーナ１７０は、ハウジング１０４の第２の端部１１２に最も近い対向表面上にある、別個に取り付けられた第２のピストンロッド１９０の端部を受容するように寸法決めされた陥凹部分１７４を含み、更には環状通路１７６を含んでいる。
【００２８】
この実施形態によれば、アセンブリハウジング１０４の第２の端部１１２は、アセンブリハウジング１０４の内側表面１０７に圧入されるスペーサ１８０を含んでいる。スペーサ１８０は、アセンブリハウジング１０４に固定的に取り付けられ、第２のピストンロッド１９０がそれを通じて延びる中心開口部１８４によって画定されるが、第２のピストンロッドはピストンアセンブリの一部であり、第１のピストンロッド１２４の縮径部分１５８の端部を収容するように寸法決めされた端部開口部１９４を有している。同様に軸方向に移動可能であるピストンロッド１９０は、ハウジング１０４の内壁１０７に形成された開口部１０９を通じて延び、また、シリコーン流体などの作動液を充填されたチャンバ２００の中へと延びている。
【００２９】
クアッドリング２１０が、スペーサ１８０と、第２のピストンロッド１９０の外側表面と、ハウジング１０４の内壁との間に画定された一定の空隙領域２１４内に配設されている。第１の端部１０７と同様に、画定された空隙領域は、クアッドリング２１０の外径よりも小さく、そのため、嵌合されたクアッドリング２１０の締り嵌め及び圧縮が発生する。前述したように好ましくはそれぞれの空洞の中へと圧縮されるクアッドリング１４５、２１０は、アセンブリハウジング１０４の内部に液体チャンバ２００に対するシールを形成する。第２のピストンロッド１９０を支持するために、後部軸受２１５がスペーサ１８０内に収容されている。
【００３０】
液体緩衝器アセンブリ１００の全体的な動作について、図２及び３を参照して更に議論する。断面図で示されたアセンブリ１００は、図２によれば初期の又は延出位置に示されている。取り付けられた第１のピストンロッド１２４とクレビス１１６を同時にアセンブリハウジング１０４の第２の端部１１２に向かって移動させる軸方向荷重が、クレビス１１６に加えられるか又は別様に付与される（ペイントガン（図示せず）のボルト（図示せず）の移動を表す矢印１９１を参照）。第１のピストンロッド１２４は前部軸受アセンブリ１３５を通じて軸方向に前進し、オリフィス付きピストンヘッド１５０もまた、ハウジング１０４の第２の端部１１２に向かって軸方向に移動される。オリフィス付きピストンヘッド１５０は、グライドリング１６２及びシールリテーナ１７０と順に係合するが、第２のピストンロッド１９０は、図３に示す圧縮位置へとハウジング１０４の第２の端部１１２を通じて軸方向に前進される。圧縮の間、グライドリング１６２は、図２に示すように、ピストンヘッド１５０の前面をシールするように移動する。グライドリング１６２はチェック弁として働く。
【００３１】
収容された作動液は、ピストンヘッド１５０のオリフィス１５３を通じて、動作のこの部分の間に移動する。全体として、作動液はまず、画定されたシールリテーナ１７０の環状通路１７６を貫く経路を通じて、シールリテーナ１７０の外径を周り、グライドリング１６２の内側開口部１６４を通じて案内される。液体は次いで、オリフィス１５３を通じて移動するが、これは単にグライドリング１６２がピストンヘッド１５０の前面をシールし、それによって、ピストンヘッド１５０の外側表面とハウジング１０４の内側表面との間にピストンヘッド１５０上に形成された環状空隙をシールする結果である。ストロークの最後に、シールリテーナ１７０は、図３に示すように、ハウジング１０４の内壁１０７と係合し、第２のピストンロッド１９０の端部は、ハウジング１０４の第２の端部１１２から外向きに延出する。
【００３２】
引き続き図２及び３を参照するが、この実施形態によれば、本明細書で説明する緩衝器アセンブリ１００に復元力が与えられ得る。例えば、アセンブリ１００の第１の端部１０８に向かって、第２のピストンロッド１９０及び取り付けられたシールリテーナ１７０をピストンヘッド１５０に対して駆動するために、ばね（図示せず）が第２のピストンロッド１９０の端部と係合するように構成され得る。画定されたチャンバ２００内に収容された作動液は、グライドリング１６２がハウジング１０４の内壁と係合するときに以前にはチェック弁によって引き起こされていた（すなわち、チェック弁が開放される）遅延を伴わずに、環状間隙を回り、ピストンヘッド１５０に形成されたオリフィス１５３を通じて移動される。作動液は、グライドリング１６２の内側開口部１６４を通じ、次いでシールリテーナ１７０の環状通路１７６を通じて移動され、第１のピストンロッド１２４及びクレビス１２０は図２の初期位置に復帰される。この実施形態によれば、図示した緩衝器アセンブリ１００の全体的なストロークは約０．１２０インチであるが、このパラメータは、用途及びペイントガンに応じて適切に変更され得る。したがって、クレビス１１６は、開放されたチェック弁による支援を受けて、図３の圧縮位置から図２の初期延出位置へと迅速に移動され得、収容された作動液は、液体緩衝器アセンブリ１００を前進させるようにより迅速に移動される。
【００３３】
ペイントガンで使用される緩衝器アセンブリ１００を例示的に表現したものが図４に概略的に示されており、ペイントガン３００は図５により完全に示されている。緩衝器アセンブリ１００は極めて小型であり、したがって、スペースをほとんど取らない。緩衝器アセンブリ１００の１つの好ましい配置が、図５にファントム図で示されている。図４を参照すると、この概略的な表現によれば、ペイントガン３００のボルトアセンブリ３０４は、画定されたチャンバ内で矢印３１８に従って並進可能に移動可能であり、ボルトばね３０８によって付勢されている。ボルトアセンブリ３０４は、この実施形態によれば、旋回アセンブリ３１６によって緩衝器アセンブリ１００と平行に装着される。この実施形態によれば、旋回アセンブリ３１６の一方の端部は、移動可能なボルトアセンブリ３０４の一部分と接触して維持される。旋回アセンブリ３１６の残りの端部は、緩衝器アセンブリ１００のクレビス端部１１６（図２）及び収容された移動可能なピストンアセンブリ（矢印３２１を参照）に回転可能に取り付けられている。一方の端部を緩衝器アセンブリ１００に作動的に結合された張力戻しばね３２０が、緩衝器アセンブリに復元力を供給するように構成されている。張力戻しばね３２０の残りの端部及びボルトばね３０８は、ペイントガン３００内の構造に固定的に取り付けられている。
【００３４】
図１〜５を参照すると、ボルトアセンブリ３０４が発射サイクルと復帰サイクルとの間で並進可能に移動することは、それに対応して、取り付けられた旋回アセンブリ３１６が、したがって緩衝器アセンブリ１００が、図２の初期延出位置と図３の圧縮位置との間で移動することを生じさせる。緩衝器アセンブリ１００の圧縮の間に減衰が発生するが、緩衝器アセンブリ１００が張力戻しばね３２０による支援を受けて延出位置へと移動されるときに、作動液の自由流れが発生する。その結果、トリガ３３０が引かれたときのペイントガン３００の発射率が効果的に制御され得る。
【００３５】
本発明は、本明細書で説明した態様の組合せを含む。「特定の態様」（又は「実施形態」若しくは「変形形態」）などへの言及は、本発明の少なくとも１つの態様に存在する特徴を指す。「態様」又は「特定の態様」など、別に言及することは、必ずしも同じ態様を指すものではないが、しかしながら、そのような態様は、別段の指定がない限り、あるいは当業者に容易に明らかとなるように、相互排他的なものではない。「方法」、及び本明細書で説明するアセンブリの様々な構成要素などを言及する上で単数形又は複数形を用いることは、過度な限定を意図したものではない。「又は」という語は、本開示においては、特に明記しない限り、非排他的な意味で用いられている。
【００３６】
本発明は、その特定の態様を特に参照して詳細に記述されている。変形、修正、及び組合せが、本発明の意図される範囲内で、かつ以下の特許請求の範囲に従って、当業者によって実現され得ることが容易に明らかとなり、また理解されよう。
【図１】
2019515236.tif 000003
【図２】
2019515236.tif 000004
【図３】
2019515236.tif 000005
【図４】
2019515236.tif 000006
【図５】
2019515236.tif 000007
【手続補正書】
【提出日】平成30年11月14日(2018.11.14)
【手続補正１】
【補正対象書類名】特許請求の範囲
【補正対象項目名】全文
【補正方法】変更
【補正の内容】
【特許請求の範囲】
【請求項１】
ペイントガンで使用するための液体緩衝器アセンブリであって、
前記ペイントガン内に配設されるように構成されたアセンブリハウジングであって、対向する第１及び第２の端部と、一定量の作動液を収容するチャンバを含んだ内部と、を有するアセンブリハウジングと、
少なくとも１つのピストンロッドと、前記アセンブリハウジングの前記内部を通じて軸方向に移動可能なピストンヘッドとを含んだピストンアセンブリであって、前記ピストンヘッドは、寸法決めされるか、又は、前記ピストンアセンブリが荷重下にあるときに作動液が前記ピストンヘッドを通じて、周りに移動するように構成された少なくとも１つのオリフィスを含み、前記ピストンアセンブリは、発射率を低下させるために、発射及びリセットサイクルの間、設定時間内に、前記ペイントガン内で設定距離だけストロークするように構成されているピストンアセンブリと、
前記アセンブリハウジングの前記内部内に、前記ピストンヘッドの狭い部分に移動可能に配置されたグライドリングであって、前記グライドリングは前記ピストンヘッドの少なくとも一つのオリフィスに整列した少なくとも一つの貫通開口部及び前記アセンブリハウジングの前記内部の径に本質的に一致する外径を有し、ここで、前記グライドリングは、前記ピストンヘッドの周り、及び、前記ピストンアセンブリが第１の軸方向に移動されるとき、前記ピストンヘッドの前記少なくとも一つのオリフィスを単に通じた動きによる流れを生じさせるように前記ピストンヘッドに対して軸方向に移動可能にシールされ、そして、前記グライドリングは、前記ピストンヘッドの周り、及び、前記ピストンアセンブリが前記第１の軸方向に対抗する第２の軸方向に移動されるとき、前記グライドリングの少なくとも一つの開口部と前記ピストンヘッドの前記少なくとも一つのオリフィスの前記整列を通じて移動する液体の流れを許容するように前記ピストンヘッドから間隔を隔てられる、
を備える液体緩衝器アセンブリ。
【請求項２】
前記ピストンアセンブリは、互いに軸方向に固定された第１のピストンロッドと第２のピストンロッドとを含む、請求項１に記載の液体緩衝器アセンブリ。
【請求項３】
前記ピストンヘッドと前記アセンブリハウジングの内壁の間に配設されたシールリテーナを含む、請求項２に記載の液体緩衝器アセンブリ。
【請求項４】
前記グライドリング及びシールリテーナは、互いに整列された貫通開口部を含み、前記ピストンヘッドの前記オリフィスは、前記ピストンアセンブリが荷重下で前記アセンブリハウジングの前記内部を通じて移動するときに、作動液の通過を可能にする、請求項３に記載の液体緩衝器アセンブリ。
【請求項５】
前記第１のピストンロッドは、前記第２のピストンロッドの開口部内で固定される狭小端部分を含む、請求項４に記載の液体緩衝器アセンブリ。
【請求項６】
前記第２のピストンロッドは前記シールリテーナに固定され、前記シールリテーナは、前記ピストンアセンブリと共に移動するように構成されている、請求項５に記載の液体緩衝器アセンブリ。
【請求項７】
少なくとも１つのシール要素を含む、請求項１に記載の液体緩衝器アセンブリ。
【請求項８】
前記少なくとも一つのシール要素は、空隙領域内で前記アセンブリハウジングの前記内部に固定的に取り付けられた１対のクアッドリングを含み、前記空隙領域の各々は、前記クアッドリングよりも小さく、したがって前記クアッドリングを圧縮する、請求項７に記載の液体緩衝器アセンブリ。
【請求項９】
前記ピストンヘッドの前記オリフィスは少なくとも１つのチェック弁を含む、請求項１に記載の液体緩衝器アセンブリ。
【請求項１０】
前記シールリテーナは、前記アセンブリハウジングの内径よりも小さい外径を有し、したがって作動液を移動させるための環状空間を生じさせる、請求項４に記載の液体緩衝器アセンブリ。
【請求項１１】
ペイントガンのための液体緩衝器アセンブリであって、
対向する第１及び第２の端部と、一定量の作動液を収容するチャンバを含んだ内部と、を有するアセンブリハウジングと、
直列的に配設された第１のピストンロッド及び第２のピストンロッドとピストンヘッドとを含んだピストンアセンブリであって、前記ピストンアセンブリは、前記アセンブリハウジングの前記内部を通じて軸方向に移動するように構成され、前記ピストンヘッドは、寸法決めされるか、又は、前記ピストンアセンブリが荷重下にあるときに作動液が前記ピストンヘッドを通じて若しくはその周りに移動するように構成された少なくとも１つのオリフィスを含むピストンアセンブリと、
前記ピストンヘッドの狭い部分に移動可能に配置されたグライドリングであって、前記グライドリングは前記ピストンヘッドの少なくとも一つのオリフィスに整列した少なくとも一つの貫通開口部を有し、前記アセンブリハウジングの前記内部の内径に実質的に一致する外径を有し、ここにおいて、前記グライドリングは、ピストンヘッド対してシールされ、前記ピストンアセンブリが第１の軸方向に移動されるとき、前記ピストンヘッドの周り、及び、前記少なくとも一つのオリフィスを単に通した動きによる流体流れを生じさせ、ここで、流体流れは、前記ピストンヘッドの周り、及び、前記ピストンアセンブリが対抗する第２の軸方向に移動されるとき、前記ピストンヘッドの周り、及び、通じた動きを許容される、
を含む液体緩衝器アセンブリ。
【請求項１２】
前記グライドリングが、作動液の前記移動のためのチェック弁として機能する、請求項１１に記載の液体緩衝器アセンブリ。
【請求項１３】
シールリテーナは、前記アセンブリハウジングの内部で、前記グライドリングと前記アセンブリハウジングの内壁の間に配置され、前記シールリテーナは前記グライドリングの少なくとも一つの貫通開口部及び前記ピストンヘッドの少なくとも一つのオリフィスと整列した少なくとも一つの貫通開口を含む、をさらに備える請求項１１に記載の液体緩衝器アセンブリ。
【請求項１４】
前記シールリテーナは前記第２のピストンロッドに固定され、流体流れが前記シールリテーナの周り及び通じて流れることを許容するアセンブリハウジングの内径より小さい大きさに作られ、前記シールリテーナは前記アセンブリハウジングの前記内部内に移動可能に配置される、請求項１３に記載の液体緩衝器アセンブリ。
【請求項１５】
前記液体緩衝器アセンブリはペイントガンに用いられるように構成された、請求項１１に記載の液体緩衝器アセンブリ。
【手続補正２】
【補正対象書類名】明細書
【補正対象項目名】００３６
【補正方法】変更
【補正の内容】
【００３６】
本発明は、その特定の態様を特に参照して詳細に記述されている。変形、修正、及び組合せが、本発明の意図される範囲内で、かつ以下の特許請求の範囲に従って、当業者によって実現され得ることが容易に明らかとなり、また理解されよう。
以下に、本願出願の当初の特許請求の範囲に記載された発明を付記する。
［１］  ペイントガンで使用するための液体緩衝器アセンブリであって、
前記ペイントガン内に配設されるように構成されたアセンブリハウジングであって、対向する第１及び第２の端部と、一定量の作動液を収容するチャンバを含んだ内部と、を有するアセンブリハウジングと、
少なくとも１つのピストンロッドと、前記アセンブリハウジングの前記内部を通じて軸方向に移動可能なピストンヘッドとを含んだピストンアセンブリであって、前記ピストンヘッドは、寸法決めされるか、又は、前記ピストンアセンブリが荷重下にあるときに作動液が前記ピストンヘッドを通じて、周りに移動するように構成された少なくとも１つのオリフィスを含み、前記ピストンアセンブリは、発射率を低下させるために、発射及びリセットサイクルの間、設定時間内に、前記ペイントガン内で設定距離だけストロークするように構成されているピストンアセンブリと、を備える液体緩衝器アセンブリ。
［２］  前記ピストンアセンブリは、互いに軸方向に固定された第１のピストンロッドと第２のピストンロッドとを含む、［１］に記載の液体緩衝器アセンブリ。
［３］  前記ピストンヘッドと前記アセンブリハウジングの内壁の間に各々が配設されたグライドリング及びシールリテーナを含む、［１］に記載の液体緩衝器アセンブリ。
［４］  前記グライドリング及びシールリテーナは、互いに整列された貫通開口部を含み、前記ピストンヘッドの前記オリフィスは、前記ピストンアセンブリが荷重下で前記アセンブリハウジングの前記内部を通じて移動するときに、作動液の通過を可能にする、［３］に記載の液体緩衝器アセンブリ。
［５］  前記第１のピストンロッドは、前記第２のピストンロッドの開口部内で固定される狭小端部分を含む、［４］に記載の液体緩衝器アセンブリ。
［６］  前記第２のピストンロッドは前記シールリテーナに固定され、前記シールリテーナは、前記ピストンアセンブリと共に移動するように構成されている、［５］に記載の液体緩衝器アセンブリ。
［７］  前記グライドリングは、前記ピストンヘッドと前記シールリテーナの間に配設され、また前記ピストンアセンブリの移動に基づいて移動してチェック弁として働くように配設されている、［６］に記載の液体緩衝器アセンブリ。
［８］  少なくとも１つのシール要素を含む、［１］に記載の液体緩衝器アセンブリ。
［９］  空隙領域内で前記アセンブリハウジングの前記内部に固定的に取り付けられた１対のクアッドリングを含み、前記空隙領域の各々は、前記クアッドリングよりも小さく、したがって前記クアッドリングを圧縮する、［８］に記載の液体緩衝器アセンブリ。
［１０］  前記ピストンヘッドの前記オリフィスは少なくとも１つのチェック弁を含む、［１］に記載の液体緩衝器アセンブリ。
［１１］  前記シールリテーナは、前記アセンブリハウジングの内径よりも小さい外径を有し、したがって作動液を移動させるための環状空間を生じさせる、［７］に記載の液体緩衝器アセンブリ。
［１２］  前記ピストンヘッドは、前記アセンブリハウジングの内径よりも小さい外径を有し、したがって作動液を移動させるための環状空間を生じさせる、［１］に記載の液体緩衝器アセンブリ。
［１３］  前記グライドリングは、前記アセンブリハウジングの内径とほぼ一致する外径によって画定される、［７］に記載の液体緩衝器アセンブリ。
［１４］  自動ペイントボールガンの発射率を低下させるための方法であって、
前記ペイントボールガン内に固定されたアセンブリハウジングを含む緩衝器アセンブリを設けることであって、前記アセンブリハウジングは、対向する第１及び第２の端部と、作動液を収容するチャンバを含んだ内部と、を有することと、
少なくとも１つのピストンロッドと、前記アセンブリハウジングの前記内部を通じて軸方向に移動可能であるピストンヘッドとを含んだピストンアセンブリを設けることであって、前記ピストンヘッドは少なくとも１つのオリフィスを含むことと、
前記ペイントボールガンを発射させることに起因し得る荷重を第１のピストンロッドに加えることであって、前記ピストンヘッドを通じて又は前記ピストンヘッドの周りに作動液を移動させ、それによって、前記ペイントボールガンの前記発射率を低化させる減衰力を与えることと、を含む方法。
［１５］  元の位置にリセットするために前記ピストンアセンブリに復元力が加えられる、［１４］に記載の方法。
［１６］  ペイントガンのための液体緩衝器アセンブリであって、
対向する第１及び第２の端部と、一定量の作動液を収容するチャンバを含んだ内部と、を有するアセンブリハウジングと、
直列的に配設された第１のピストンロッド及び第２のピストンロッドと、前記アセンブリハウジングの前記内部を通じて軸方向に移動するように構成されたピストンヘッドとを含んだピストンアセンブリであって、前記ピストンヘッドは、寸法決めされるか、又は、前記ピストンアセンブリが荷重下にあるときに作動液が前記ピストンヘッドを通じて若しくはその周りに移動するように構成された少なくとも１つのオリフィスを含むピストンアセンブリと、を含む液体緩衝器アセンブリ。
［１７］  少なくとも１つのシーリング部材が、作動液の前記移動のためのチェック弁として働く、［１６］に記載の液体緩衝器アセンブリ。
【国際調査報告】
2019515236.tif 000008
2019515236.tif 000009
2019515236.tif 000010
2019515236.tif 000011
2019515236.tif 000012